(57)【要約】【課題】  本発明は釣り用ベルトに係り、ベルトと身体との間に玉網を差し込み易くした釣り用ベルトを提供することを目的とする。【解決手段】  請求項１に係る釣り用ベルトは、ベルト本体の内側面に、該ベルト本体の上方へ上部が突出する柔軟なパッドを装着したことを特徴とする。そして、請求項２に係る発明は、請求項１に記載の釣り用ベルトに於て、前記パッドは、ベルト本体に着脱自在であることを特徴とし、請求項３に係る発明は、請求項１または請求項２に記載の釣り用ベルトに於て、前記パッドの上部の長手方向中央に、上方へ突出する突片が形成されていることを特徴とする。更に、請求項４に係る発明は、請求項３に記載の釣り用ベルトに於て、前記突片の両側に、凹状の湾曲部が形成されていることを特徴とする。【選択図】    図１
2010104311.tif 000002
【特許請求の範囲】
【請求項１】
ベルト本体の内側面に、該ベルト本体の上方へ上部が突出する柔軟なパッドを装着したことを特徴とする釣り用ベルト。
【請求項２】
前記パッドは、ベルト本体に着脱自在であることを特徴とする請求項１に記載の釣り用ベルト。
【請求項３】
前記パッドの上部の長手方向中央に、上方へ突出する突片が形成されていることを特徴とする請求項１または請求項２に記載の釣り用ベルト。
【請求項４】
前記突片の両側に、凹状の湾曲部が形成されていることを特徴とする請求項３に記載の釣り用ベルト。
【請求項５】
前記パッドの上部の周縁に、折り返し部が形成されていることを特徴とする請求項１乃至請求項４のいずれか１項に記載の釣り用ベルト。
【発明の詳細な説明】
【技術分野】
【０００１】
本発明は、鮎釣りや渓流釣り等に用いる釣り用ベルトに関する。
【背景技術】
【０００２】
従来、鮎釣りや渓流釣りでは玉網が使用され、釣人は釣りの最中に玉網の柄を腰に装着した釣り用ベルトと身体との間に差し込んで保持し、魚がかかったときに直ぐに玉網を抜き取って掬うことができるようにしている。
【０００３】
しかし、この玉網の差し込みは、ベルトと身体との間に柄の端部を差し込むため、ベルトが身体に食い込んでいると差し込み難い欠点があった。
【０００４】
そこで、特許文献１には、玉網をベルトと身体の隙間に差し込むのではなく、ベルトの外側に玉網の柄を差し込むための断面略Ｃ字状のホルダーを回転自在に装着し、このホルダーに玉網を着脱可能とした釣り用ベルトが提案されている。
【特許文献１】実開平７−５３６８号公報
【発明の開示】
【発明が解決しようとする課題】
【０００５】
しかし、特許文献１に開示された釣り用ベルトは、断面略Ｃ字状に形成されたホルダーの差し込み口が小さく、また、ホルダー自体が回転するため、玉網の柄を差し込むためにホルダーの向きを確認し乍ら差し込まねばならず、素早く柄をホルダーに差し込むことができなかった。
【０００６】
また、斯様にベルトの外側にホルダーが突出してしまうと、実釣時に釣糸が絡まったり、また、度々水中に深く入り込んだりすることで、ホルダーがベルトから脱落してしまう虞があった。
【０００７】
本発明は斯かる実情に鑑み案出されたもので、ベルトと身体との間に玉網を差し込み易くした釣り用ベルトを提供することを目的とする。
【課題を解決するための手段】
【０００８】
斯かる目的を達成するため、請求項１に係る釣り用ベルトは、ベルト本体の内側面に、該ベルト本体の上方へ上部が突出する柔軟なパッドを装着したことを特徴とする。
【０００９】
そして、請求項２に係る発明は、請求項１に記載の釣り用ベルトに於て、前記パッドは、ベルト本体に着脱自在であることを特徴とし、請求項３に係る発明は、請求項１または請求項２に記載の釣り用ベルトに於て、前記パッドの上部の長手方向中央に、上方へ突出する突片が形成されていることを特徴とする。
【００１０】
更に、請求項４に係る発明は、請求項３に記載の釣り用ベルトに於て、前記突片の両側に、凹状の湾曲部が形成されていることを特徴とし、請求項５に係る発明は、請求項１乃至請求項４のいずれか１項に記載の釣り用ベルトに於て、前記パッドの上部の周縁に、折り返し部が形成されていることを特徴とする。
【発明の効果】
【００１１】
請求項１に係る釣り用ベルトによれば、ベルト本体が身体に食い込んで身体との間に隙間が殆どない場合であっても、パッドの内側に柄の先端を押し当てることで柄を身体とパッドとの間に簡単に差し込むことができるため、従来の釣り用ベルトに比し玉網の抜き差し、特に玉網の差し込みがし易くなった。
【００１２】
そして、請求項２に係る発明によれば、既存の釣り用ベルトの構成に何ら加工を加えるものでないためコストが安く、また、パッドはベルト本体に着脱可能であるため、釣場の状況に応じ取り外したり取付位置を変更することが可能であるし、釣人の利き手に応じて取付位置を調整することができる。
【００１３】
また、請求項３に係る発明によれば、突片がパッドの上部中央で大きく上方へ突出するため、パッドの内側への柄の先端の挿入がし易く、更に、請求項４に係る発明によれば、湾曲部が突片への探り処として機能し、パッドを見ずとも斯かる湾曲部に沿って柄の先端が突片へと案内されるため、玉網の差し込みが簡単に行える。
【００１４】
そして、請求項５に係る発明によれば、折り返し部を設けたことで、パッドの上部の周縁と身体との間に僅かな隙間確保されるため柄の先端が挿入し易く、また、パッドの上部に張りがでることで、玉網の差し込みの際に、柄を通じて確かな感触を感じることができる利点を有する。
【発明を実施するための最良の形態】
【００１５】
以下、本発明の実施形態を図面に基づいて詳細に説明する。
【００１６】
図１乃至図５は請求項１乃至請求項４の一実施形態に係る釣り用ベルトを示し、図１中、１は一例として皮革，合成樹脂やゴムのシート、またはナイロン等の合成樹脂繊維を用いて形成された帯状のベルト本体で、その背面側に、皮革，合成樹脂，ゴム等からなる周知の背当てパッド５がベルト本体１に沿ってスライド調整可能に取り付き、ベルト本体１の前面に周知の雄雌一対のフロントバックル７，９が装着されている。
【００１７】
そして、図１乃至図５に示すように本実施形態に係る釣り用ベルト１１は、玉網１３の抜き差し、特に玉網１３の柄２９をベルト本体１と身体１５との隙間に差し込むのに好適なパッド３を、ベルト本体１の内側面に着脱自在に装着したことを特徴とする。
【００１８】
前記パッド３は、一例としてクロロプレンゴムやウレタン等のゴムや合成樹脂の発泡材のシートの表裏にナイロンの織布を貼着した柔軟な材料で形成されている。そして、図３及び図４に示すようにパッド３の表面には、一端側１７ａの裏面に雄型面ファスナー１９がベルト本体１に沿って帯状に貼着され、他端側１７ｂの表面に雌型面ファスナー２１が帯状に貼着された一枚の矩形状のナイロン織布からなる取付部材１７の略中央が、同じくベルト本体１に沿って取り付けられている。
【００１９】
そして、図４に示すようにベルト本体１の内側面に前記取付部材１７を当接させ乍ら、取付部材１７の一端側１７ａと他端側１７ｂでベルト本体１を内側面側から包むように被覆して前記雄型面ファスナー１９と雌型面ファスナー２１を接合させると、取付部材１７にベルト本体１を挿通させることができ、ベルト本体１の内側面にパッド３が取り付くようになっている。
【００２０】
図３に示すようにパッド３はベルト本体１よりも幅広に形成され、その上部と下部が、夫々、ベルト本体１から上方と下方へ突出した平坦な形状とされているが、パッド３の上部の長手方向中央には、更に上方へと大きく突出し、折り曲げ可能な突片２３がベルト本体１に沿って形成されている。
【００２１】
そして、突片２３の両側には、パッド３の左右へと円弧状（凹状）に裁断されたなだらかな湾曲部２５，２７が設けられており、斯様に突片２３の両側になだらかな湾曲部２５，２７を設けると、玉網１３をベルト本体１と身体１５との間に差し込むために玉網１３の柄２９の先端で突片２３を探る際に、斯かる湾曲部２５，２７が後述するように突片２３への所謂「探り処」として機能するようになっている。
【００２２】
本実施形態に係る釣り用ベルト１１はこのように構成されているから、鮎釣りや渓流釣りを行うに当たり、利き手に応じて前記パッド３を取付部材１７を介してベルト本体１１の内側面の所定位置に取り付け、前記フロントバックル７，９を介して釣り用ベルト１１を腰に装着すればよい。
【００２３】
而して、斯様に釣り用ベルト１１を腰に装着すると、図４に示すように通常、ベルト本体１が身体１５に食い込んで隙間が殆どなくなるが、玉網１３の柄２９をベルト本体１と身体１５との間に差し込む際に、先細に形成された柄２９の先端が直接突片２３と身体１５との間に上方或いは斜め上方から差し込まれた場合には、図５に示すように突片２３が、形成する材料の柔軟性により外方へ撓んで折れ曲がり、柄２９の先端を差し込む入り口を形成するため、撓んだ突片２３の内周に沿ってそのまま柄２９の先端を下方または斜め下方に差し込むことで、柄２９がパッド３と身体１５との間に簡単に差し込まれることとなる。
【００２４】
一方、柄２９の先端が直接突片２３に当たらず、例えばパッド３の左側上部から前記湾曲部２５にかけて柄２９の先端が当たると、湾曲部２５が外方へ撓んで身体１５との間に隙間が形成されるため、柄２９の先端が身体１５とパッド３との間に若干差し込まれることとなる。すると、釣人は感触が合ったと認識し、湾曲部２５を探り処として柄２９の先端を更にパッド３に押し当てて押し込んでいく。そして、そのまま柄２９を斜め下方へ差し込んでいくと、柄２９の先端が突片２３の上部側に至り、突片２３が湾曲部２５と共に外方へ撓んで柄２９を差し込む入り口を形成する。
【００２５】
従って、撓んだ突片２３の内周に沿ってそのまま柄２９の先端を下方または斜め下方に差し込むことで、柄２９がパッド３と身体１５との間に簡単に差し込まれることとなる。
【００２６】
このようにして、釣人は釣りの最中に玉網１３の柄２９をパッド３と身体１５との間に差し込んで保持すればよく、魚がかかったときに直ぐに玉網１３を抜き取って魚を掬うことができる。
【００２７】
このように本実施形態によれば、ベルト本体１が身体１５に食い込んで身体１５との間に隙間が殆どない場合であっても、前記パッド３の突片２３や湾曲部２５，２７の内側に柄２９の先端を押し当てることで、柄２９を身体１５とパッド３（ベルト本体１）との間に簡単に差し込むことができるため、従来の釣り用ベルトに比し玉網１３の抜き差し、特に玉網１３の差し込みがし易くなった。
【００２８】
而も、突片２３がパッド３の上部中央で大きく上方へ突出するため、パッド３の内側への柄２９の先端の挿入がし易く、更に、前記湾曲部２５，２７が突片２３への探り処として機能し、パッド３を見ずとも斯かる湾曲部２５，２７に沿って柄２９の先端が突片２３へと案内されるため、玉網１３の差し込みが簡単に行える。
【００２９】
また、既存の釣り用ベルトの構成に何ら加工を加えるものでないためコストが安く、更にまた、前記パッド３はベルト本体１に着脱可能であるため、釣場の状況に応じ取り外したり取付位置を変更することが可能であるし、釣人の利き手に応じて取付位置を調整することもできる。
【００３０】
尚、前記実施形態では、パッド３全体を平坦な形状に形成したが、予め前記突片２３を外側に曲げて癖付けをしておいてもよい。
【００３１】
また、パッド３の突片２３以外のベルト本体１の内側面に添接する部分には、パッド３の材料より硬質の補強板を取り付けてもよい。また、パッド３はベルト本体１に固定してもよい。
【００３２】
そして、図６及び図７は請求項１乃至請求項５に係る釣り用ベルトの一実施形態を示し、図示するように本実施形態に係る釣り用ベルト１１-1は、前記パッド３と正面視形状を同じくしてパッド３-1の上部中央に突片２３-1を形成し、その両側に湾曲部２５-1，２７-1を設けた構成に加え、パッド３-1の上部周縁を下方へＵ字状に折り返し、これを糸３１で縫着してパッド３-1の上部周縁に折り返し部３３を形成したことを特徴とする。
【００３３】
而して、本実施形態によれば、斯様に折り返し部３３を設けたことで、パッド３-1の上部の周縁と身体１５との間に僅かな隙間３５が確保されるため、柄２９の先端が挿入し易く、また、パッド３-1の上部に張りがでることで、玉網１３の差し込みの際に、柄２９を通じて確かな感触を感じることができる利点を有する。
【図面の簡単な説明】
【００３４】
【図１】請求項１乃至請求項４の一実施形態に係る釣り用ベルトの全体斜視図である。
【図２】釣り用ベルトの身体への装着状態を示す全体斜視図である。
【図３】釣り用ベルトに装着するパッドの正面図である。
【図４】図３のIV−IV断面図である。
【図５】釣り用ベルトの使用状態の断面図である。
【図６】請求項１乃至請求項５の一実施形態に係る釣り用ベルトに装着するパッドの正面図である。
【図７】図６のVII−VII断面図である。
【符号の説明】
【００３５】
１  ベルト本体
３，３-1  パッド
５  背当てパッド
７，９  フロントバックル
１１  釣り用ベルト
１３  玉網
１５  身体
１７  取付部材
１９  雄型面ファスナー
２１  雌型面ファスナー
２３，２３-1  突片
２５，２５-1，２７，２７-1  湾曲部
２９  柄
３３  折り返し部
【図１】
2010104311.tif 000003
【図２】
2010104311.tif 000004
【図３】
2010104311.tif 000005
【図４】
2010104311.tif 000006
【図５】
2010104311.tif 000007
【図６】
2010104311.tif 000008
【図７】
2010104311.tif 000009